(57)【要約】      （修正有）【課題】本発明は、放熱器の出口側冷媒温度が上昇した運転条件においても、ヒートポンプ運転の効率を高く維持すること。【解決手段】本発明のヒートポンプ加熱装置は、放熱器２の出口側に直列に接続して設けた第２絞り手段３ｂと冷媒回路蓄熱器８と、第１回路切換え手段９ａにより回路を切り換える蒸発器バイパス回路１０とを備え、第２絞り手段３ｂの開度を最大にして冷媒回路蓄熱器８に蓄熱し、第１回路切換え手段９ａで蒸発器バイパス回路１０側に切り換えて第２絞り手段３ｂを絞った状態で運転するものである。【選択図】図１
2008196791.tif 000002
【特許請求の範囲】
【請求項１】
圧縮機と、放熱器と、第１絞り手段と、蒸発器と、前記蒸発器と前記第１絞り手段とをバイパスする蒸発バイパス回路と、前記蒸発バイパス回路に設けた第１回路切換え手段と、前記放熱器の出口側に設けた冷媒回路蓄熱器と、前記冷媒回路蓄熱器の入口側に設けた第２絞り手段とを設けたヒートポンプ加熱装置。
【請求項２】
前記放熱器の出口に設けた放熱器温度検出手段と、前記冷媒回路蓄熱器に設けた蓄熱器温度検出手段と、前記放熱器温度検出手段と前記蓄熱器温度検出手段の検出値に応じて前記第１絞り手段と前記第２絞り手段と前記第１回路切換え手段とを制御する制御装置とを設けた請求項１に記載のヒートポンプ加熱装置。
【請求項３】
前記冷媒回路蓄熱器と前記第２絞り手段とをバイパスする蓄熱バイパス回路と、前記蓄熱バイパス回路に設けた第２回路切換え手段とを設けた請求項１または２に記載のヒートポンプ加熱装置。
【請求項４】
前記放熱器と前記第２絞り手段とをバイパスする放熱バイパス回路と、前記放熱バイパス回路に設けた第３回路切換え手段とを設けた請求項１から３のいずれか１項に記載のヒートポンプ加熱装置。
【請求項５】
キャラリーチューブと開閉弁とを並列に設けて構成する前記第２絞り手段を設けた請求項１から４のいずれか１項に記載のヒートポンプ加熱装置。
【請求項６】
前記第２絞り手段の入口側と前記圧縮機の吸入側とを熱交換する内部熱交換器と、前記内部熱交換器をバイパスする内部熱交バイパス回路と、バイパス量調整手段とを設けた請求項1から５のいずれか１項に記載のヒートポンプ加熱装置。
【請求項７】
前記放熱器の２次側に設けた蓄熱装置と、前記蓄熱装置の蓄熱温度より低い相変化温度を有する潜熱蓄熱剤を搭載する前記冷媒回路蓄熱器とを設けた請求項１から６のいずれか１項に記載のヒートポンプ加熱装置。
【請求項８】
前記蓄熱温度検出手段と、前記蓄熱温度検出手段の出力に応じて前記圧縮機と前記第１回路切換え手段とを制御する前記制御装置とを設けた請求項1から７のいずれか１項に記載のヒートポンプ加熱装置。
【請求項９】
低温潜熱蓄熱剤を搭載する前記冷媒回路蓄熱器と、高温潜熱蓄熱剤を搭載する前記蓄熱装置とを設けた請求項１から８のいずれか１項に記載のヒートポンプ加熱装置。
【発明の詳細な説明】
【技術分野】
【０００１】
本発明は、給湯、暖房および乾燥等に利用するヒートポンプ加熱装置に関するものである。
【背景技術】
【０００２】
従来、この種のヒートポンプ加熱装置は、圧縮機と放熱器２と第１絞り手段と蒸発器４からなる冷媒回路と、循環ポンプと蓄熱装置と混合弁からなる給湯回路で構成し、放熱器で得られた熱を循環ポンプで蓄熱装置に運び蓄熱装置内の水に熱として蓄え、必要に応じ蓄熱装置から取り出した高温の水と給水とを混合弁で所定の温度に混合して給湯などの熱負荷に供していた（例えば、特許文献１参照）。
【０００３】
図１０は、従来のヒートポンプ加熱装置を示すものである。図１０に示すように、圧縮機１０１と、放熱器１０２と、第１絞り手段１０３と、蒸発器１０４と、循環ポンプ１０５と蓄熱槽１０６と混合弁１０７とから構成されている。
【特許文献１】特開２００３−２４７７５９号公報
【発明の開示】
【発明が解決しようとする課題】
【０００４】
しかしながら、前記従来の構成では、蓄熱運転時には蓄熱槽１０６内の温度が上部より順に上昇するために循環ポンプ１０５で放熱器１０２に送られる循環水の温度も時間経過とともに上昇し、冷媒回路の放熱器１０２を出る冷媒の温度を上げることとなり、ヒートポンプ運転の効率を低下させるなどの課題を有していた。
【０００５】
本発明は、前記従来の課題を解決するもので、高効率なヒートポンプ加熱装置を提供することを目的とする。
【課題を解決するための手段】
【０００６】
前記従来の課題を解決するために、本発明のヒートポンプ加熱装置は、圧縮機と放熱器と第１絞り手段と蒸発器とからなる冷媒回路に、蒸発器と第１絞り手段とをバイパスする蒸発バイパス回路と、放熱器の出口側に第２絞り手段と冷媒回路蓄熱器とを設けたものである。
【発明の効果】
【０００７】
本発明のヒートポンプ加熱装置は、上記構成により放熱器の２次側の入水温度が上昇した場合は、蒸発器で得た熱を放熱器で放熱し、放熱しきれない熱を冷媒回路蓄熱器に蓄熱し、放熱器の２次側の入水温度がさがった場合に、蒸発バイパス回路側に回路を切り換えて冷媒回路蓄熱器を蒸発器として運転して冷媒回路蓄熱器から吸熱し放熱器より放出することにより、高効率なヒートポンプ運転を実現することができる。
【発明を実施するための最良の形態】
【０００８】
第１の本願発明は、圧縮機と、放熱器と、第１絞り手段と、蒸発器と、蒸発器と第１絞り手段とをバイパスする蒸発バイパス回路と、蒸発バイパス回路に設けた第１回路切換え手段と、放熱器の出口側に設けた冷媒回路蓄熱器と、冷媒回路蓄熱器の入口側に設けた第２絞り手段とを備えたものである。
【０００９】
この構成により、放熱器出口の冷媒温度が高い時は、圧縮機からでた冷媒を放熱器、第２絞り手段、冷媒回路蓄熱器、第１絞り手段と、蒸発器と、順に流して放熱器から放熱するとともに冷媒回路蓄熱器に蓄熱し、放熱器出口の冷媒温度が低い時は、圧縮機からでた冷媒を放熱器、第２絞り手段、冷媒回路蓄熱器、蒸発バイパス回路の順に流して冷媒回路蓄熱器を蒸発器として作用させることにより冷媒回路蓄熱器から熱を回収して放熱器から放熱することとなり、高効率なヒートポンプ運転を実現することができる。
【００１０】
第２の本願発明は、放熱器温度検出手段と蓄熱器温度検出手段とを設け、温度検出手段の検出値に応じて第１絞り手段と第２絞り手段と第１回路切換え手段とを制御する制御装置を備えた構成とすることにより放熱器出口の冷媒温度と蓄熱器の蓄熱状態に応じ、第１回路切換え手段を切り換えて、第１絞り手段と第２絞り手段の開度を制御するものである。
【００１１】
この構成により、放熱器出口の冷媒温度が高い時は、冷媒回路蓄熱器に蓄熱し、放熱器出口の冷媒温度が低く蓄熱器温度が高いときは、冷媒回路蓄熱器から放熱し、常に最適な状態でヒートポンプの高効率運転を実現することができる。
【００１２】
第３の本願発明は、冷媒回路蓄熱器と第２絞り手段とをバイパスする蓄熱バイパス回路と、蓄熱バイパス回路に第２回路切換え手段とを備えた構成とすることにより、冷媒回路蓄熱器と第２絞り手段とをバイパスして冷媒を流すこととなり、冷媒回路の圧力損失を大幅に低減することができる。
【００１３】
第４の本願発明は、放熱器と第２絞り手段とをバイパスする放熱バイパス回路と、放熱バイパス回路に第３回路切換え手段とを備えた構成とすることにより、圧縮機を出た冷媒を放熱器と第２絞り手段とをバイパスして放熱バイパス回路から冷媒回路蓄熱器に流すこととなり、放熱器の負荷の発生していないときに冷媒回路蓄熱器に蓄熱し、することができる。
【００１４】
第５の本願発明は、第２絞り手段をキャラリーチューブと開閉弁とを並列に設けた構成とすることにより、開閉弁を開放し冷媒を直接に冷媒回路蓄熱器に流して蓄熱し、開閉弁を閉塞し冷媒をキャラリーチューブに流すことにより冷媒を減圧し冷媒回路蓄熱器内で蒸発させることとなり、開閉弁の開閉制御で、冷媒回路蓄熱器の運転状態を蓄熱または放熱に確実に切り換えることができる。
【００１５】
第６の本願発明は、第２絞り手段の入口側と圧縮機吸入側とを熱交換する内部熱交換器と、内部熱交換器をバイパスする内部熱交バイパス回路と、バイパス量調整手段とを備えた構成とすることにより、内部熱交バイパス回路に設けたバイパス量調整手段で、内部熱交換器を流れる冷媒量を制御して、圧縮機の出口温度を所定の値に制御することとなり、放熱器出口の冷媒温度が高くなる運転条件においても、ヒートポンプ運転の効率を低下させることなく、高効率運転を安定して維持することができる。
【００１６】
第７の本願発明は、放熱器の２次側に設けた蓄熱装置と、蓄熱装置の蓄熱温度より低い相変化温度を有する潜熱蓄熱剤を搭載する冷媒回路蓄熱器とを備えた構成とすることにより、蓄熱運転時に蓄熱装置の出口温度が時間経過とともに上昇した時に、冷媒回路蓄熱器で蓄熱装置の蓄熱温度より低い温度で冷媒回路蓄熱器で蓄熱することとなり、第１絞り手段の入り口温度を低下させて、高効率運転を維持することができる。
【００１７】
第８の本願発明は、圧縮機と第１回路切換え手段とを制御する制御装置と、蓄熱装置に蓄熱装置温度検知手段とを備えた構成とすることにより、蓄熱装置の温度に応じて、圧縮機の発停または能力を制御し、蒸発器のバイパス切換えを行うこととなり、蓄熱装置の蓄熱状態に応じて、蓄熱器への蓄熱運転または放熱運転の切換えを行うことにより、蓄熱装置の蓄熱状態に応じた最適な運転をすることができる。
【００１８】
第９の本願発明は、蓄熱器に低温潜熱蓄熱剤を搭載し、蓄熱装置に高温潜熱蓄熱剤を搭載する構成とすることにより、小型の蓄熱器で第１絞り手段の入口冷媒温度を低く保ちヒートポンプ運転を高効率に維持するとともに、大容量の熱を蓄熱装置に蓄えることとなり、小型の装置で大容量の蓄を蓄熱することができる。
【００１９】
以下、本発明の実施の形態におけるヒートポンプ加熱装置について、図面を参照しながら説明する。なお、この実施の形態によって本発明が限定されるものでない。
（実施の形態１）
図１は本発明の実施の形態１におけるヒートポンプ加熱装置の構成図である。
【００２０】
図に示すように、冷媒回路蓄熱器８は、圧縮機１と放熱器２と第１絞り手段３ａと蒸発器４とを順に環状に接続して構成する冷媒回路の放熱器２の出口側に第２絞り手段３ｂと直列に接続して設けたものである。なお、第１絞り手段３ａと蒸発器４をバイパスし第１回路切換え手段９ａにより回路を切り換える蒸発バイパス回路１０を設けている。
【００２１】
以上のように構成されたヒートポンプ加熱装置について、以下その動作、作用を説明する。
【００２２】
まず、放熱器２の出口の冷媒温度が高い運転条件では、第２絞り手段３ｂの開度を最大に開放し、第１回路切換え手段９ａを閉として蒸発器４側に切換え、高温の冷媒を冷媒回路蓄熱器８に導入して蓄熱し、第１絞り手段３ａに流入する冷媒温度を低下させて運転する。
【００２３】
放熱器２の出口の冷媒温度が低くなった時に、第２絞り手段３ｂの開度を絞り、低温の冷媒を冷媒回路蓄熱器８に導入して蒸発させて、第１回路切換え手段９ａを開として蒸発バイパス回路１０側に切換えて、蒸発させた冷媒を第１絞り手段３ａと蒸発器４とをバイパスして圧縮機１に吸入させることとなる。
【００２４】
以上のように、本実施の形態においては、放熱器２の出口の冷媒温度が高い時に冷媒回路蓄熱器８に蓄熱して第１絞り手段３ａに流入する冷媒温度を低下させ、放熱器２の出口の冷媒温度が低い時に冷媒回路蓄熱器８に蓄熱した熱を回収して運転することにより、放熱器２の出口温度が高い運転条件においても、第１絞り手段３ａの入口冷媒温度を低く保つこととなり、冷媒回路の運転効率を安定して高く保つことができ、さらに冷媒回路蓄熱器８に蓄えた熱を回収することにより高効率のヒートポンプ加熱運転を実現することができる。
（実施の形態２）
図２は本発明の実施の形態２におけるヒートポンプ加熱装置の構成図である。
【００２５】
図に示すように、制御装置１１は、放熱器２の出口に設けた放熱器温度検出手段１２と蓄熱器温度検出手段１３との検出値を入力値とし、第１絞り手段３ａと第２絞り手段３ｂと第１回路切換え手段９ａとを制御対象として構成している。なお、図１と同じ構成要素については同一符号を付して説明を省略する。
【００２６】
以上のように構成されたヒートポンプ加熱装置について、以下その動作、作用を説明する。
【００２７】
まず、放熱器２の出口の冷媒温度を放熱器温度検出手段１２で検出し、その検出値が所定の値以上の時、制御装置１１は第１回路切換え手段９ａを閉として蒸発器４側に切換え、第２絞り手段３ｂの開度を最大にし、第１絞り手段３aの開度を適当に絞った状態で冷媒回路蓄熱器８に蓄熱して運転する。
【００２８】
一方、温度検出手段１２の検出値が所定の値以下で、蓄熱器温度検出手段１３の値が所定の値より高いときは、第１回路切換え手段９ａを蒸発バイパス回路１０側に切換えて第２絞り手段３ｂを絞った状態で冷媒回路蓄熱器８を蒸発器として運転する。
【００２９】
さらに、温度検出手段１２の検出値が所定の値以下で、蓄熱器温度検出手段１３の値も所定の値より低いときは、第１回路切換え手段９ａを蒸発器４側に切換え第２絞り手段３ｂの開度を最大にして冷媒回路蓄熱器８での熱交換が最少になるように運転する。
【００３０】
以上のように、本実施の形態においては、放熱器温度検出手段１２と蓄熱器温度検出手段１３を入力値として第１絞り手段３aと第２絞り手段３ｂと第１回路切換え手段９ａとを制御する制御装置１１を備えた構成とすることにより、放熱器２の出口の冷媒温度が高いときに冷媒回路蓄熱器８に蓄熱し、放熱器２の出口の冷媒温度が低い時に冷媒回路蓄熱器８か熱を回収するように制御装置１１で運転を制御することとなり、放熱器２の出口の冷媒温度の状態に応じてヒートポンプの効率を高め得る最適な制御を実現することができる。
（実施の形態３）
図３は本発明の実施の形態３におけるヒートポンプ加熱装置の構成図である。
【００３１】
図に示すように、蓄熱器バイパス回路１４は、冷媒回路蓄熱器８と第２絞り手段３ｂとをバイパスして設け、この蓄熱器バイパス回路１４を切り換える第２回路切換え手段９ｂを設けている。なお、図１または図２と同じ構成要素については同一符号を付して説明を省略する。
【００３２】
以上のように構成されたヒートポンプ加熱装置について、以下その動作、作用を説明する。
【００３３】
まず、運転開始時のように放熱器２の出口の冷媒温度が低い運転条件では、第２回路切換え手段９ｂで蓄熱器バイパス回路１４側に回路を切り換えて運転し、放熱器２の出口の冷媒温度が高くなったときに第２回路切換え手段９ｂで冷媒回路蓄熱器８側に回路を切り換えて運転することとなる。
【００３４】
以上のように、本実施の形態においては、第２回路切換え手段９ｂと蓄熱器バイパス回路１４とを備えた構成とすることにより、放熱器２の出口の冷媒温度が高い場合に、冷媒回路蓄熱器８に蓄熱し、放熱器２の出口の冷媒温度が低い時には、第２絞り手段３ｂと冷媒回路蓄熱器８とをバイパスして運転することとなり、バイパス運転時に圧力損失を大幅に低減して効率を上げることができる。
（実施の形態４）
図４は本発明の実施の形態４におけるヒートポンプ加熱装置の構成図である。
【００３５】
図に示すように、放熱バイパス回路１５は、放熱器２と第２絞り手段３ｂとをバイパスして設け、この放熱バイパス回路１５を切り換える第３回路切換え手段９ｃを設けている。なお、図１または図２と同じ構成要素については同一符号を付して説明を省略する。
【００３６】
以上のように構成されたヒートポンプ加熱装置について、以下その動作、作用を説明する。
【００３７】
まず、放熱器２の負荷が発生していない場合は、第３回路切換え手段９ｃを放熱バイパス回路１５側に切り換え冷媒回路蓄熱器８に蓄熱し、第１回路切換え手段９ａを蒸発器４側に切り換えて運転する。
【００３８】
放熱器２の負荷が発生した場合は、第３回路切換え手段９ｃを放熱器２に切り換え、第１回路切換え手段９ａを蒸発器バイパス回路１０に切り換えて運転し、冷媒回路蓄熱器８から熱回収を終了したあと第１回路切換え手段９ａを蒸発器４側に切り換えて運転することとなる。
【００３９】
以上のように、本実施の形態においては、放熱バイパス回路１５と第３回路切換え手段９ｃを備えた構成とすることにより、放熱器２の負荷が発生していない時に冷媒回路蓄熱器８に蓄熱し、放熱器２の負荷が発生したときに冷媒回路蓄熱器８で冷媒を蒸発させて蓄熱を回収して放熱器２で放熱することとなり、外気温の低い運転条件においても立ち上げが早く高効率のヒートポンプ運転を実現することができる。
（実施の形態５）
図５は本発明の実施の形態５におけるヒートポンプ加熱装置の構成図である。
【００４０】
図に示すように、図１に示した第２絞り手段３ｂとして、キャラリーチューブ１６と開閉弁１７を並列に設けて構成している。なお、図１または図２と同じ構成要素については同一符号を付して説明を省略する。
【００４１】
以上のように構成されたヒートポンプ加熱装置について、以下その動作、作用を説明する。
【００４２】
まず、蓄熱装置６に蓄熱する蓄熱運転開始時は循環ポンプ５で蓄熱装置６の底部の低温の水を放熱器２の２次側に送るので、放熱器２の１次側出口の冷媒も低い温度で出てくる。この時、開閉弁１７を開放してキャラリーチューブ１６をバイパスして冷媒を流す。
【００４３】
蓄熱装置６への蓄熱運転が進んでいくと蓄熱装置６内の水は上部より順に高温に達しやがて循環ポンプ５で放熱器２の２次側に送られ水の温度も上昇することとなり、放熱器２の１次側出口の冷媒温度も上昇する。
【００４４】
このとき、開閉弁１７を開放してキャラリーチューブ１６をバイパスして冷媒回路蓄熱器８に冷媒を流すと高温の冷媒は冷媒回路蓄熱器８で熱交換して低温の冷媒となって、第１絞り手段３ａに流入することになる。
【００４５】
一方、給湯負荷が発生したとき、蓄熱装置６の底部へ給水し高温の湯を蓄熱装置６の上部より取り出し、混合弁７で給水と混合して所定の温度にして給湯に供する。
【００４６】
給湯負荷が発生したあと、蓄熱装置６への蓄熱運転を再開するときは、開閉弁１７を閉塞してキャラリーチューブ１６を通して冷媒回路蓄熱器８で冷媒を蒸発させ、蒸発器バイパス回路１０を通して圧縮器１に吸入することとなる。
【００４７】
以上のように、本実施の形態においては、第２絞り手段３ｂを、キャラリーチューブ１６と開閉弁１７を並列に設けて構成することにより、第２絞り手段３ｂの絞りを必要としない蓄熱運転時に圧力損失を大幅に低減することとなり、ヒートポンプの運転効率を向上することができる。
（実施の形態６）
図６は本発明の実施の形態６におけるヒートポンプ加熱装置の構成図を示すものである。
【００４８】
図に示すように、第２絞り手段３ｂの入口側と圧縮機１の吸入側とを熱交換する内部熱交換器１８と、内部熱交換器１８をバイパスする内部熱交バイパス回路１９と、バイパス量調整手段２０と圧縮機１の吐出温度検出手段２１と、吐出温度検出手段２１の検出値に応じてバイパス量調整手段２０を制御する流量制御装置２１を設けて構成している。なお、図１または図２と同じ構成要素については同一符号を付して説明を省略する。
【００４９】
以上のように構成されたヒートポンプ加熱装置について、以下その動作、作用を説明する。
【００５０】
まず、放熱器２に発生する負荷に応じてあらかじめ設定された圧縮機１の回転数で運転するが、このとき吐出温度検出手段２１で圧縮機１の吐出温度を検知し、吐出温度が所定の温度になるようにバイパス量調整手段２０を流量制御装置２１で制御することとなる。
【００５１】
以上のように、本実施の形態においては、内部熱交換器１８と内部熱交バイパス回路１９とを設け、吐出温度検出手段２１の検出値に応じてバイパス量調整手段２０を制御する流量制御装置２１を備えたことにより、吐出温度を所定の値にするように、流量制御装置２１がバイパス量調整手段２０を制御することとなり、内部熱交換器１８の熱交換量を調整して圧縮機１の吐出温度を任意の値にすることができる。
（実施の形態７）
図７は本発明の実施の形態７におけるヒートポンプ加熱装置の構成図である。
【００５２】
図に示すように、冷媒回路蓄熱器８は、蓄熱装置６の蓄熱温度より低い相変化温度を有する潜熱蓄熱剤２３を設けて構成している。なお、図１または図２と同じ構成要素については同一符号を付して説明を省略する。
【００５３】
以上のように構成されたヒートポンプ加熱装置について、以下その動作、作用を説明する。
【００５４】
まず、蓄熱装置６に蓄熱する運転は、冷媒回路側は圧縮機１を運転し高温の冷媒を放熱器２の１次側に送り、２次側には循環ポンプ５を運転して蓄熱装置６の底部の水を送る。蓄熱装置６は一般的には内部に水を貯留する構成であり、この場合、上部から下部に対して温度勾配を持って運転される。
【００５５】
循環ポンプ５で放熱器２の２次側に送られる水の温度が高くなれば、放熱器２の１次側出口の冷媒温度が上がってサイクルの効率を低下させるが、放熱器２の後流に冷媒回路蓄熱器８が設けているため、放熱器２の１次側出口の冷媒温度が高い状態でも、潜熱蓄熱剤２３に蓄熱することにより冷媒温度を低下させてることができる。
【００５６】
以上のように、本実施の形態においては、蓄熱装置６の蓄熱温度より低い相変化温度を有する潜熱蓄熱剤２３を冷媒回路蓄熱器８に搭載する構成とすることにより、小型の冷媒回路蓄熱器８で高効率の蓄熱運転を実現することができる。
（実施の形態８）
図８は本発明の実施の形態８におけるヒートポンプ加熱装置の構成図をである。
【００５７】
図に示すように、蓄熱温度検知手段２４の出力に応じて圧縮機１と第１回路切換え手段９ａと第２絞り手段３ｂとを制御する運転制御装置２５を設けて構成している。なお、図１、図２または図７と同じ構成要素については同一符号を付して説明を省略する。
【００５８】
以上のように構成されたヒートポンプ加熱装置について、以下その動作、作用を説明する。
【００５９】
まず、蓄熱温度検知手段２４の検出値が所定の値より高い時は、第２絞り手段３ｂを開放して第１回路切換え手段９ａを蒸発器２側に切り換えて運転し、冷媒回路蓄熱器８に蓄熱した後、蓄熱温度検知手段２４の検出値が所定の値より低い時は、第２絞り手段３ｂを絞り冷媒回路蓄熱器８で冷媒を蒸発させて熱を回収することとなる。
【００６０】
以上のように、本実施の形態においては、蓄熱温度検知手段２４の出力に応じて圧縮機１と第１回路切換え手段９ａと第２絞り手段３ｂとを制御する運転制御装置２５を備えた構成とすることにより、蓄熱温度検知手段２４の検出値をもとに、運転制御装置２５でヒートポンプを最適に制御することができる。
（実施の形態９）
図９は本発明の実施の形態９におけるヒートポンプ加熱装置の構成図である。
【００６１】
図に示すように、低温潜熱蓄熱剤２６を搭載する冷媒回路蓄熱器８と、高温潜熱蓄熱剤２７を搭載する蓄熱装置６とを設けて構成している。なお、図１、図２または図７と同じ構成要素については同一符号を付して説明を省略する。
【００６２】
以上のように構成されたヒートポンプ加熱装置について、以下その動作、作用を説明する。
【００６３】
まず、蓄熱装置６に蓄熱する運転は、冷媒回路側は圧縮機１を運転し高温の冷媒を放熱器２の１次側に送り、２次側には循環ポンプ５を運転して低温の水を流すことにより、１次側から２次側に熱移動させて高温になった温水を蓄熱装置６に送ることにより、高温潜熱蓄熱剤２７に熱を蓄えることとなる。
【００６４】
蓄熱運転中は、蓄熱装置６の高温潜熱蓄熱剤２７は相変化しながら融解熱として蓄熱するが、融解する際の温度はほぼ一定に保たれるため、蓄熱装置６を出る水の温度も低く保たれ、放熱器２の出口の冷媒温度も低く保たれる。
【００６５】
さらに蓄熱運転が進んだ段階では、蓄熱装置６を出る水の温度は上昇するので、放熱器２を出る冷媒の温度も上がってくるが、このとき冷媒回路蓄熱器８において低温潜熱蓄熱剤２６に熱を吸収されることにより、温度を低下させた冷媒が冷媒回路蓄熱器８を出て第１絞り手段３ａに入ることとなる。
【００６６】
以上のように、本実施の形態においては、低温潜熱蓄熱剤２６を搭載する冷媒回路蓄熱器８と、高温潜熱蓄熱剤２７を搭載する蓄熱装置６とを備えることにより、第１絞り手段３ａに入る冷媒の温度を低く保つことにより、ヒートポンプ運転の効率を高く保つことができ、小型の装置で冷媒回路蓄熱器８と蓄熱装置６に大量の熱を蓄熱することができる。
【産業上の利用可能性】
【００６７】
以上のように、本発明にかかるヒートポンプ加熱装置は、小型な装置で高効率な運転が可能となるので、給湯、暖房、衣類乾燥機および産業用の廃熱回収装置などの用途にも適用できる。
【図面の簡単な説明】
【００６８】
【図１】本発明の実施の形態１におけるヒートポンプ加熱装置の構成図
【図２】本発明の実施の形態２におけるヒートポンプ加熱装置の構成図
【図３】本発明の実施の形態３におけるヒートポンプ加熱装置の構成図
【図４】本発明の実施の形態４におけるヒートポンプ加熱装置の構成図
【図５】本発明の実施の形態５におけるヒートポンプ加熱装置の構成図
【図６】本発明の実施の形態６におけるヒートポンプ加熱装置の構成図
【図７】本発明の実施の形態７におけるヒートポンプ加熱装置の構成図
【図８】本発明の実施の形態８におけるヒートポンプ加熱装置の構成図
【図９】本発明の実施の形態９におけるヒートポンプ加熱装置の構成図
【図１０】従来のヒートポンプ加熱装置の構成図
【符号の説明】
【００６９】
１    圧縮機
２    放熱器
３ａ    第１絞り手段
３ｂ    第２絞り手段
４    蒸発器
５    循環ポンプ
６    蓄熱装置
７    混合弁
８    冷媒回路蓄熱器
９ａ    第１回路切り換え手段
９ｂ    第２回路切り換え手段
９ｃ    第３回路切り換え手段
１０    蒸発器バイパス回路
１１    制御装置
１２    放熱器温度検出手段
１３    蓄熱器温度検出手段
１４    蓄熱器バイパス回路
１５    放熱器バイパス回路
１６    キャピラリーチューブ
１７    開閉弁
１８    内部熱交換器
１９    内部熱交換器バイパス回路
２０    バイパス量調整手段
２１    吐出温度検出手段
２２    流量制御装置
２３    潜熱蓄熱剤
２４    蓄熱温度検出手段  
２５    運転制御装置
２６    低温潜熱蓄熱剤
２７    高温潜熱蓄熱剤
【図１】
2008196791.tif 000003
【図２】
2008196791.tif 000004
【図３】
2008196791.tif 000005
【図４】
2008196791.tif 000006
【図５】
2008196791.tif 000007
【図６】
2008196791.tif 000008
【図７】
2008196791.tif 000009
【図８】
2008196791.tif 000010
【図９】
2008196791.tif 000011
【図１０】
2008196791.tif 000012